(57)【要約】      （修正有）【課題】操作が簡単で便利なネイルアートに用いられる光硬化機を提供する。【解決手段】ネイルアートに用いられる光硬化機は上段機構１及び下段機構２を有する。上段機構はベース１１及びベースに設置されるケース１２を備え、前記ベースには紫外線を発光させるランプ群１４が設置されると共にランプ群１４を制御するための制御ユニットが設置される。ベースには軸部１８が下に向けて延設され、下段機構の軸部に対応する位置には軸座２２が設けられる。軸部は軸座に枢設されると共に上段機構と下段機構とを枢結させ、且つ下段機構に対して枢動させ、ランプ群を回転延出させて使用する。【選択図】図３
0003194469.tif 000002
【実用新案登録請求の範囲】
【請求項１】
上段機構及び下段機構を備えるネイルアートに用いられる光硬化機であって、
前記上段機構はベース及び前記ベースに設置されるケースを含み、前記ベースには紫外線を発光させるランプ群が設置されると共に前記ランプ群の制御に用いられる制御ユニットが設置され、且つ前記ベースには軸部が下に向けて延設され、
前記下段機構の前記ランプ群に対応する位置には凹部が設けられ、且つ前記軸部に対応する位置には軸座が設けられ、前記軸部は前記軸座に枢設され、前記上段機構を前記下段機構に対して枢動させることを特徴とするネイルアートに用いられる光硬化機。
【請求項２】
前記上段機構の前記ベースと前記ケースとの間には中段機構が設置され、前記ベース及び前記ケースは前記中段機構にそれぞれ固装され、且つ前記制御ユニットは電容式のタッチ回路基板、導電部材及び電源座を備え、前記電源座は前記タッチ回路基板に電気的に接続され、且つ前記導電部材の一端は前記タッチ回路基板に接続され、他端は前記中段機構を貫通させて前記ケースに連結され、且つ前記ケースの前記導電部材に対応する位置にはタッチ式制御区が画定されて形成され、また、前記ランプ群には前記タッチ回路基板に電気的に接続される複数の発光ダイオードが設置され、前記タッチ式制御区により制御されることを特徴とする、請求項１記載のネイルアートに用いられる光硬化機。
【請求項３】
前記タッチ回路基板には発光部材が設置されると共に前記タッチ式制御区により制御され、前記ケースは透光性であり、且つ前記発光部材から発射された光線は前記ケースを透過することを特徴とする、請求項２記載のネイルアートに用いられる光硬化機。
【請求項４】
前記軸座の底端には前記軸部に固装されると共に前記軸座に当接される固定部材が設置されることを特徴とする、請求項１記載のネイルアートに用いられる光硬化機。
【請求項５】
前記下段機構の前記軸座の付近には位置決めピンが設置され、前記固定部材の両側には突出部がそれぞれ延設され、且つ各突出部には位置決め部がそれぞれ設けられ、前記位置決め部は前記位置決めピンに接合して位置決めされることを特徴とする、請求項４記載のネイルアートに用いられる光硬化機。
【考案の詳細な説明】
【技術分野】
【０００１】
本考案は、ネイルアートに用いられる光硬化機に関し、より詳しくは、内部部材の間の枢設構造に関する。
【背景技術】
【０００２】
現代の女性は指の爪に美しくネイルアートを施すのが好きで、流行を追及し続けている。指の爪にネイルアートを施すには顔料を指の爪の上に塗布して模様等の装飾を形成する。続いて、ネイルアートを施した後に指の爪上の顔料を硬化してネイルアートを完成させるが、現在の業界では多くの場合紫外線を利用した硬化機を使用して硬化を行っている。
【０００３】
例えば、特許文献１に記載される光硬化機は小型の携帯型機である。従来の機器のベース内には一本の指のみ進入可能な空間が設けられ、前記ベースには前記空間の上方に結合されるランプ座の上蓋が設けられ、これにより前記空間に向け紫外線が発射され、指の爪の上のネイルアートの模様を硬化させる。足の指の爪のネイルアートの模様を硬化させる場合、一般的には、足の指は手の指より太いため、足の指を上述の機器の空間に進入させるのは困難であり、故に従来の機器は前記ランプ座の上蓋が取り外し可能でベースの構造に再装設可能なように設計されており、前記ランプ座の上蓋はベースの外側へ延出され、紫外線を足の指の爪の上に直接照射させる。構造の細部については、前記ベースの上面には２つの固定ピンが設置され、前記ランプ座の上蓋の底面には対応する２つの挿入孔が設けられ、前記ランプ座の上蓋を取り外した後反転させて２つの挿入孔と２本の固定ピンとを結合させ、装設を完成する。
【先行技術文献】
【特許文献】
【０００４】
【特許文献１】台湾実用新案第M４７２１５０号明細書
【考案の開示】
【考案が解決しようとする課題】
【０００５】
しかしながら、前述した従来の構造では、前記ランプ座の上蓋を完全に取り外してから前記ベースに再装設を行う必要があり、手順が複雑で時間も労力もかかる欠点があった。また、取り外されたランプ座の上蓋の保管も面倒であり、遺失された場合、前記機器を使用することが出来なくなることもあった。
【０００６】
そこで、本考案者は上記の欠点が改善可能と考え、鋭意検討を重ねた結果、合理的かつ効果的に課題を改善する本考案のネイルアートに用いられる光硬化機の提案に到った。
【０００７】
本考案は、上記の事情を考慮してなされたもので、上記課題解決のため、本考案は、ネイルアートに用いられる光硬化機を提供することを主目的とする。
すなわち、上段機構が下段機構に対して枢動し、これによりランプ群を回転延出させ、指の爪のネイルアートの硬化を行う。
【課題を解決するための手段】
【０００８】
上述した課題を解決し、目的を達成するために、本考案に係るネイルアートに用いられる光硬化機は、上段機構及び下段機構を備え、前記上段機構はベース及び前記ベースに設置されるケースを含み、前記ベースには紫外線を発光させるランプ群が設置されると共に前記ランプ群の制御に用いられる制御ユニットが設置され、且つ前記ベースには軸部が下に向けて延設され、前記下段機構の前記ランプ群に対応する位置には凹部が設けられ、且つ前記軸部に対応する位置には軸座が設けられ、前記軸部は前記軸座に枢設され、前記上段機構を前記下段機構に対して枢動させることを特徴とする。
【図面の簡単な説明】
【０００９】
【図１】本考案の一実施形態によるネイルアートに用いられる光硬化機を示す外観斜視図である。
【図２】本考案の一実施形態によるネイルアートに用いられる光硬化機を示す展開図である。
【図３】本考案の一実施形態によるネイルアートに用いられる光硬化機を示す断面図である。
【図４】本考案による回転動作を示す概略図である。
【図５】本考案による回転動作を示す概略図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１１】
（一実施形態）
以下、一実施形態を図１〜５に基づいて説明する。図１は本考案に係るネイルアートに用いられる光硬化機である。上段機構１及び下段機構２を備え、前記上段機構１には紫外線を発光させるランプ群が設置され、且つ前記上段機構１は前記下段機構２に枢設され、前記上段機構１は前記下段機構２に対して枢動する。これらが枢設される位置は中心箇所ではないため、前記上段機構１が下段機構２の外に回転されながら延出され、これにより前記ランプ群も回転されて延出される。
【００１２】
図２及び図３に示すように、上述の上段機構１はベース１１及び前記ベース１１に設置されるケース１２を備える。本実施形態において、前記ベース１１と前記ケース１２との間には環状を呈する中段機構１３が更に設置され、前記ベース１１及び前記ケース１２は前記中段機構１３にそれぞれ固装される。前記ベース１１には紫外線を発光させるランプ群１４が設置され、且つ前記ランプ群１４を制御させる制御ユニットも設置される。前記制御ユニットは電容式のタッチ回路基板１５、導電部材１６及び電源座１７を備え、前記タッチ回路基板１５は前記ベース１１に設置されると共に電気的に接続される電源座１７から電源を供給する。前記ランプ群１４は複数の紫外線を発光させる発光ダイオード１４１を有し、これら発光ダイオード１４１は前記タッチ回路基板１５に電気的に接続される。前記導電部材１６はバネに似た外形を呈し、一端は前記タッチ回路基板１５に接続され、他端は前記中段機構１３を貫通させて前記ケース１２に連結されると共に前記ケース１２の前記導電部材１６に対応する位置にはタッチ式制御区１２１が画定して形成される。使用者が手で前記タッチ式制御区１２１をタッチすることで、人体内の静電気が前記導電部材１６を経由して前記タッチ回路基板１５に導電され、これにより前記ランプ群１４が起動されて紫外線を発光させる。このほか、前記タッチ回路基板１５には発光部材１５１が更に設けられ、前記発光部材１５１は前記タッチ式制御区１２１からの制御を受けて起動されると共に光線を発光させる。また、前記ケース１２は透光材質であり、前記発光部材１５１から発射された光線は前記ケース１２を透過させ、これにより本考案が起動状態にあると提示する効果を達成する。
【００１３】
上述したように、前記ベース１１の前記ランプ群１４の付近で中心ではない箇所の位置には柱状の軸部１８が下に向けて延設され、上段機構１が下段機構２に対して枢動する際の軸心となる。また、前記下段機構２の前記ランプ群１４に対応する位置には、一側から陥入されるように凹部２１が形成され、使用者の指を進入させる用途に使用され、指の爪のネイルアートに前記ランプ群１４の紫外線を照射して硬化させる。前記下段機構２の前記凹部２１の後方の前記軸部１８に対応する位置には軸座２２が設けられ、前記軸座２２は管状を呈する挿入孔であり、前記軸部１８の挿入に用いられる。固定部材２３は前記軸座２２の底端に設置され、且つねじ２４は前記固定部材２３を貫通させると共に前記軸部１８に螺合される。これにより、前記固定部材２３は前記軸部１８に固定されて一体となり前記軸部１８と同期して回転し、前記固定部材２３の外径は前記軸座２２に等しいかそれより大きく、前記軸座２２に当接され、故に前記上段機構１は前記軸部１８及び前記固定部材２３により前記下段機構２に結合される。このほか、前記軸部１８は前記固定部材２３により固定されるため上下に移動しないが、前記軸座２２内では自由に枢動し、前記上段機構１は前記軸部１８を回転軸心として前記下段機構２の外に回転して延出する。
【００１４】
図４及び図５に示すように、上述の前記上段機構１が枢動することで前記ランプ群１４は前記下段機構２の外に回転して延出される。これにより、使用者は手の指或いは足の指を前記凹部に進入させて、前記下段機構２の外で前記ランプ群１４に照射させることができ、使用上の利便性が高まる。
【００１５】
さらに、上段機構１と下段機構２との間には位置決め機能を有し、所定の枢動角度まで回転した後に互いに固定される。詳細には、図４及び図５に示すように、前記下段機構２の前記軸座２２の付近には位置決めピン２５が設置され、前記固定部材２３の両側にはそれぞれ突出部２３１が延設され、各突出部２３１には位置決め部２３２がそれぞれ設けられ、前記位置決め部２３２には凹型溝の構造形態が形成される。本実施形態において、２つの突出部２３１は１８０度の角度で隔てられる。上段機構１が下段機構２に対して０度及び１８０度枢動する場合、前記固定部材２３が何れか１つの突出部２３１の凹型溝を前記位置決めピン２５にそれぞれ係合させることで、上段機構１と下段機構２との間を位置決めさせる。
【００１６】
上述の説明から分かる本考案の長所としては、枢動構造を利用してランプ群の設置される上段機構を下段機構の外に回転させ、使用上の利便性を増す。本考案の構造によれば、使用者は上段機構を回転させるのみでランプ群を回転して延出させることができ、且つ下段機構から脱離することもなく、操作が非常に簡単で便利である。
【００１７】
なお、本考案は前述した実施形態のみに限定されるものではなく、本考案の要旨を逸脱しない範囲において種々の変更が可能であることは勿論である。
【符号の説明】
【００１８】
１  上段機構
１１  ベース
１２  ケース
１２１  タッチ式制御区
１３  中段機構
１４  ランプ群
１４１  発光ダイオード
１５  タッチ回路基板
１５１  発光部材
１６  導電部材
１７  電源座
１８  軸部
２  下段機構
２１  凹部
２２  軸座
２３  固定部材
２３１  突出部
２３２  位置決め部
２４  ねじ
２５  位置決めピン
【図１】
0003194469.tif 000003
【図２】
0003194469.tif 000004
【図３】
0003194469.tif 000005
【図４】
0003194469.tif 000006
【図５】
0003194469.tif 000007